(57)【要約】【課題】形態の安定したブランコベンチ型であって、なおかつ使用後の洗浄が容易に行える、入浴介護用の吊り具を提供する。【解決手段】入浴介護用吊り具１０は、柔軟性部材からなるかご部材１２と、かご部材１２から分離可能な、剛性材料からなる座板部材１４とを備える。【選択図】図１
0003199119.tif 000002
【実用新案登録請求の範囲】
【請求項１】
柔軟性部材からなるかご部材と、
前記かご部材から分離可能な、剛性材料からなる座板部材と、
を備えることを特徴とする、入浴介護用吊り具。
【請求項２】
請求項１に記載の入浴介護用吊り具であって、
前記かご部材には、前記座板部材をガイドするスロットが形成されていることを特徴とする、入浴介護用吊り具。
【請求項３】
請求項１または２に記載の入浴介護用吊り具であって、
前記かご部材は、複数の柔道帯から縫製されることを特徴とする、入浴介護用吊り具。
【考案の詳細な説明】
【技術分野】
【０００１】
本考案は、入浴介護に当たり被介護者を吊り上げる吊り具に関する。
【背景技術】
【０００２】
従来から、入浴介護のための様々な技術が提案されている。例えばクレーンやリフト等の昇降機を用いて被介護者を持ち上げてそのまま浴槽に入れるなどの技術が提案されている。
【０００３】
また、家庭の浴室など、昇降機を設置するスペースを浴室に確保することが困難な場合を考慮して、例えば特許文献１では、可搬型の（持ち運び可能な）入浴介護用品が開示されている。これによると、入浴介護用品は、柔軟性のあるシート性部材からなる入浴補助具本体、これに取り付けられた一対の肩掛け搬送ベルト、肩部支持ベルト、胴部支持ベルト及び分岐連結ベルトを備える。
【０００４】
使用に当たり、入浴補助具本体上に被介護者を座らせてから、胴部支持ベルトの結合プラグを結合ソケットに差し込む。次いで肩部支持ベルトを被介護者にたすき掛けし、さらにその両肩に肩掛け搬送ベルトを掛ける。介護者は分岐連結ベルトの連結部を掴んで入浴補助具本体を持ち上げて、被介護者を浴槽に誘導する。
【先行技術文献】
【特許文献】
【０００５】
【特許文献１】実用新案登録第３１３９７２３号公報
【考案の概要】
【考案が解決しようとする課題】
【０００６】
ところで、柔軟性のある部材から入浴介護用品の座面を構成すると、当該座面は被介護者の重量や姿勢に追従して変形し、形態が維持できなくなる。一定の姿勢を維持するためには被介護者の筋力を必要とし、被介護者が高齢者である場合には、その負担は大きなものとなる。
【０００７】
つまり、座面としては全体的に柔軟性のある「ハンモック型」よりも、形態の安定した「ブランコベンチ型」の方が被介護者の負担が小さくて済む。しかしながら、後者については使用後の洗浄時に課題が生じる。
【０００８】
例えば、衛生面から、入浴介護用品はその使用後に洗浄されることが好ましい。しかしながら、ブランコベンチ型の入浴介護用品は板状部材等の剛性部材が含まれており、洗濯機等で洗うことが困難となる（剛性部材によって洗濯機が破損するおそれがある）。したがって、介護者等が戸外で水洗い等によって洗浄を行うなど、介護者の負担に繋がる。
【０００９】
そこで、本考案では、形態の安定したブランコベンチ型であって、なおかつ使用後の洗浄が容易に行える、入浴介護用の吊り具を提供することを目的とする。
【課題を解決するための手段】
【００１０】
本考案は、入浴介護用吊り具に関する。当該吊り具は、柔軟性部材からなるかご部材と、前記かご部材から分離可能な剛性材料からなる座板部材と、を備える。
【００１１】
また、上記考案において、前記かご部材には、前記座板部材をガイドするスロットが形成されていることが好適である。
【００１２】
また、上記考案において、前記かご部材は、複数の柔道帯から縫製されることが好適である。
【考案の効果】
【００１３】
本考案によれば、形態の安定したブランコベンチ型であって、なおかつ使用後の洗浄が容易に行える、入浴介護用の吊り具を提供可能となる。
【図面の簡単な説明】
【００１４】
【図１】本実施形態に係る入浴介護用吊り具を例示する斜視図である。
【図２】かご部材に対する座板部材の着脱を説明する斜視図である。
【図３】座板部材に設けられたスロットを説明する斜視図である
【図４】囲い帯の着脱について説明する斜視図である。
【図５】本実施形態に係る入浴介護用吊り具の使用例を示す図である。
【考案を実施するための形態】
【００１５】
＜全体構成＞
図１には、本実施形態に係る入浴介護用吊り具１０が例示されている。入浴介護用吊り具１０は、柔軟性部材からなるかご（駕籠）部材１２と、剛性材料からなる座板部材１４から構成される。入浴介護用吊り具１０は、被介護者１名が収容可能となる程度の大きさであってよく、例えば高さ（図１ｚ軸方向）６０ｃｍ以上９０ｃｍ以下、幅（図１ｘ軸方向）３０ｃｍ以上５０ｃｍ以下、奥行き（図１ｙ軸方向）３０ｃｍ以上５０ｃｍ以下程度の大きさとなるように形成される。なお、図１，図２，図４は、本来柔軟性部材であるかご部材１２を、説明を容易にするためにｘ軸、ｙ軸及びｚ軸方向に広げたものである。
【００１６】
図２に示すように、座板部材１４はかご部材１２から分離可能となっている。このようにすることで、かご部材１２を洗濯機にて丸洗いすることが可能となり、入浴介護用吊り具１０の洗浄の負担を軽減することができる。
【００１７】
また、分離された座板部材１４も、厚さ１ｍｍ以上１０ｍｍ以下、幅２５ｃｍ以上３５ｃｍ以下、奥行き２０ｃｍ以上３０ｃｍ以下程度の板材であって、まな板と同程度の大きさであり、台所、洗面所、風呂場等での洗浄が可能となる。
【００１８】
さらに、かご部材１２は柔軟性部材から構成されているので、未使用時には折り畳んで収納することができる。例えば座板部材１４が収納可能な程度の幅や深さを持ったバッグ等に折り畳んだ状態のかご部材１２も一緒に収納することができる。このようにすることで小さなスペースで入浴介護用吊り具１０の保管が可能となる。
【００１９】
＜各構成の詳細＞
座板部材１４は、入浴介護用吊り具１０の座面を構成する剛性部材であり、例えばアクリルやプラスチック等の樹脂製の板材から構成される。また、かご部材１２に取り付けた際に座板部材１４がかご部材１２からはみ出していると、入浴介護用吊り具１０に腰掛けた被介護者のひざ裏等を傷つけるおそれがある。そこで、座板部材１４の端部をかご部材１２の底面部１６内に収めるために、座板部材１４は底面部１６の面積よりも一回り小さくなるように構成されていることが好適である。例えば座板部材１４の奥行きはかご部材１２の底面部１６の奥行きよりも短いことが好適である。
【００２０】
かご部材１２は洗浄可能な柔軟性部材から構成される。かご部材１２は例えば布を縫製することで形成される。軽量化や洗浄後の速やかな乾燥のために、かご部材１２は複数の間隙が形成された網（ネット）状に形成されていることが好適である。
【００２１】
また、被介護者の支持に適したものとなるよう、かご部材１２は十分な強度を備えた布から構成されることが好適である。このことから、かご部材１２は例えば複数の柔道帯から縫製される。全日本柔道連盟によれば、柔道帯の引っ張り強さは２２００Ｎ以上であることが定められており、このような強度の材料をかご部材１２に用いることで、被介護者を支持するのに十分な強度が得られる。
【００２２】
さらに、汎用品である柔道帯を入浴介護用吊り具１０の材料として用いることで、専用品から縫製する場合と比較して、入浴介護用吊り具１０の製造コストを低減させることができる。本実施形態に係る入浴介護用吊り具１０は一般家庭での普及を視野に入れているところ、一般家庭においても購入可能であるほどの安価で販売することが可能となる。
【００２３】
なお、柔道帯そのものの強度に加えて、柔道帯同士を縫製するに当たり、縫い合わせ部分の強度が確保されていることが好適である。例えば柔道帯同士の縫製に当たり、重ね合わせた部分の縁周り（□状の縫製）だけでなく、交差する対角線状（Ｘ状）に縫製糸を縫い合わせることで、縫い合わせ部分の十分な強度が得られる。
【００２４】
かご部材１２は、底面部１６、囲い帯１８、支え帯２０Ａ，２０Ｂ，２０Ｃ及びアーチ帯２２Ａ，２２Ｂを含んで構成される。
【００２５】
底面部１６は、複数の柔道帯を格子状に縫製することで形成され、図２に示すように、幅方向（図２ｘ軸方向）に渡された５本の柔道帯と、奥行き方向（図２ｙ軸方向）に渡された５本の柔道帯を含んで構成される。それぞれの交差部分は四角及び対角状に縫製糸が縫い通される。
【００２６】
また、底面部１６には、座板部材１４をガイドする（座板部材１４が挿入される）スロット２４が形成されている。図３に示すように、スロット２４はかご部材１２の前面部（図面手前側）が開口するとともに、両側面部及び背面部には閉じた構造となっている。スロット２４も柔道帯から構成されることが好適である。
【００２７】
図１に戻り、底面部１６から高さ方向（図のｚ軸方向）に離間して四方に渡された囲い帯１８が設けられており、囲い帯１８とアーチ帯２２Ａ，２２Ｂ及び支え帯２０Ａ，２０Ｂ，２０Ｃとが縫い合わせられている。
【００２８】
囲い帯１８は入浴介護用吊り具１０内に着座した被介護者の転落を防止するための手摺りの役割を有する。また、図４に示すように、囲い帯１８には面ファスナー２６等の着脱部材が設けられている。被介護者を入浴介護用吊り具１０に座らせる際には面ファスナー２６を外して囲い帯１８の前面側（図面手前側）を開放させる。
【００２９】
囲い帯１８が過度に高い位置に設けられると、被介護者が囲い帯１８を潜り抜けて入浴介護用吊り具１０から転落するおそれがある。このことから、底面部１６と囲い帯１８とを繋ぐ支え帯２０Ａ，２０Ｂ，２０Ｃの長さは３０ｃｍ以上５０ｃｍ以下とすることが好適である。
【００３０】
支え帯２０Ａ，２０Ｂ，２０Ｃはいずれも底面部１６から囲い帯１８まで高さ方向に延びる帯であって、被介護者が掴んでバランスを取るために設けられている。
【００３１】
アーチ帯２２Ａ，２２Ｂは、底面部１６の一側面側から他側面側まで渡されるアーチ状の帯である。介護者がアーチ帯２２Ａ，２２Ｂを掴んで持ち上げることで、入浴介護用吊り具１０が持ち上がる。
【００３２】
図５には入浴介護用吊り具１０を用いて介護者３０Ａ〜３０Ｄが被介護者３２を持ち上げる（吊り上げる）様子が例示されている。この例では４名の介護者３０Ａ〜３０Ｄが示されているが、被介護者の体重や介護者の筋力等に応じて介護者の数は種々変更できる。
【００３３】
介護者３０Ａ〜３０Ｄがアーチ帯２２Ａ，２２Ｂを掴んで鉛直上方向に持ち上げる。このとき被介護者３２は支え帯２０Ａ，２０Ｂを掴んでバランスをとっている。さらに底面部１６のスロット２４には剛性材料からなる座板部材１４が挿入されているので、座面形状は安定する。これにより被介護者３２の姿勢が安定する。
【００３４】
被介護者の入浴時には浴槽を挟んで２名ずつ介護者３０Ａ〜３０Ｄを配置させて入浴介護用吊り具１０及び被介護者３２を浴槽に降ろす。また退浴時には入浴介護用吊り具１０及び被介護者３２を引き上げる。使用後の入浴介護用吊り具１０はかご部材１２と座板部材１４とに分離され、前者は洗濯機にて丸洗いされ、後者は台所、洗面所、風呂場等で洗浄される。洗浄後のかご部材１２をハンガー等に吊るして干し、また座板部材１４は水切りを行うことで乾燥させる。その後、かご部材１２を畳んで座板部材１４とともにバッグ等に収納する。
【００３５】
なお、上述した実施形態では、かご部材１２を柔軟性部材のみからなるものとして説明したが、この形態に限らない。例えば洗濯機での洗浄やその後の折り畳みが可能な範囲であれば、かご部材１２は剛性部材を含んでいてもよく、例えば柔道帯同士を留めるためのリベット等がかご部材１２に含まれていてもよい。
【符号の説明】
【００３６】
１０  入浴介護用吊り具、１２  かご部材、１４  座板部材、１６  底面部、１８  囲い帯、２０Ａ，２０Ｂ，２０Ｃ  支え帯、２２Ａ，２２Ｂ  アーチ帯、２４  スロット、２６  面ファスナー、３０Ａ−３０Ｄ  介護者、３２  被介護者。
【図１】
0003199119.tif 000003
【図２】
0003199119.tif 000004
【図３】
0003199119.tif 000005
【図４】
0003199119.tif 000006
【図５】
0003199119.tif 000007